(57)【要約】通信端末、接続を要求する方法、ネットワーク構成要素および通信端末にサービスを提供する。１つの実施形態によれば、通信端末が開示され、通信端末は、通信端末のホームコアネットワークから、ホームネットワークのネットワークスライスのスライス識別が別のコアネットワークにも有効であるという指示を受信するように構成された受信部と、接続要求を別のコアネットワークに送信し、スライス識別に基づいてネットワークスライスを要求するように構成された送信部と、を含む。
2021503199.tif 000002
【特許請求の範囲】
【請求項１】
通信端末であって、
前記通信端末のホームコアネットワークから、前記ホームコアネットワークのネットワークスライスのスライス識別は別のコアネットワークにも有効であるという指示を受信するように構成された受信部と、
接続要求を前記別のコアネットワークに送信し、前記スライス識別に基づいてネットワークスライスを要求するように構成された送信部と、を備え、
前記受信部は、第１の無線アクセスネットワークを介して、前記指示を受信するように構成されており、前記送信部は、第２の無線アクセスネットワークを介して、前記接続要求を送信し、前記ネットワークスライスを要求するように構成されており、
前記第１の無線アクセスネットワークおよび前記第２の無線アクセスネットワークは、異なる無線アクセス技術に準拠して動作する、通信端末。
【請求項２】
前記第１の無線アクセスネットワークは、４Ｇ無線アクセス技術に準拠して動作し、前記第２の無線アクセスネットワークは、５Ｇ無線アクセス技術に準拠して動作する、請求項１に記載の通信端末。
【請求項３】
前記接続信要求は、Ｒｅｑｕｅｓｔｅｄ  ＮＳＳＡＩに前記スライス識別を含む、請求項１または２に記載の通信端末。
【請求項４】
接続要求メッセージは、登録要求メッセージである、請求項２または３に記載の通信端末。
【請求項５】
前記スライス識別は、Ｓ−ＮＳＳＡＩである、請求項１から４のいずれか１項に記載の通信端末。
【請求項６】
前記受信部は、アタッチ要求またはセッション確立要求に応じた前記指示を受信するように構成されている、請求項１から５のいずれか１項に記載の通信端末。
【請求項７】
前記指示は、前記ホームコアネットワークのネットワークスライスの前記スライス識別が、前記別のコアネットワークを含む複数のコアネットワークにも有効であることを示す、請求項１から６のいずれか１項に記載の通信端末。
【請求項８】
前記複数のコアネットワークのコアネットワークは、前記ホームコアネットワークのローミングパートナーコアネットワークである、請求項７に記載の通信端末。
【請求項９】
前記受信部は、第１の無線アクセスネットワークを介して、前記ネットワークスライスのアプリケーションマッピングポリシーを受信するように構成されており、前記送信部は、アプリケーションを前記ネットワークスライスにマッピングし、第２の無線アクセスネットワークを介して、前記ネットワークスライスを要求するように構成されている、請求項１から８のいずれか１項に記載の通信端末。
【請求項１０】
接続を要求する方法であって、
ホームコアネットワークから、前記ホームコアネットワークのネットワークスライスのスライス識別は別のコアネットワークにも有効であるという指示を受信することと、
接続要求を前記別のコアネットワークに送信し、前記スライス識別に基づいてネットワークスライスを要求することと、を含み、
前記指示は、第１の無線アクセスネットワークを介して受信され、
前記接続要求と、前記スライス識別に基づく前記ネットワークスライスに関する要求とは、第２の無線アクセスネットワークを介して送信され、
前記第１の無線アクセスネットワークおよび前記第２の無線アクセスネットワークは、異なる無線アクセス技術に準拠して動作する、接続を要求する方法。
【請求項１１】
通信ネットワークのネットワーク構成要素であって、
通信ネットワークがホームコアネットワークである通信端末に、前記通信ネットワークのコアネットワークのネットワークスライスのスライス識別は別のコアネットワークにも有効であるという指示を送信するように構成された送信部を含み、
前記送信部は、第１の無線アクセスネットワークを介して、前記指示を送信するように構成されており、
前記別のコアネットワークは、第２の無線アクセスネットワークであり、
前記第１の無線アクセスネットワークおよび前記第２の無線アクセスネットワークは、異なる無線アクセス技術に準拠して動作する、通信ネットワークのネットワーク構成要素。
【請求項１２】
通信端末にサービスを提供する方法であって、
通信ネットワークがホームコアネットワークである通信端末に、前記通信ネットワークのコアネットワークのネットワークスライスのスライス識別は別のコアネットワークにも有効であるという指示を送信することを含み、
前記指示は、第１の無線アクセスネットワークを介して送信され、
前記別のコアネットワークは、第２の無線アクセスネットワークであり、
前記第１の無線アクセスネットワークおよび前記第２の無線アクセスネットワークは、異なる無線アクセス技術に準拠して動作する、通信端末にサービスを提供する方法。
【発明の詳細な説明】
【技術分野】
【０００１】
本開示は、通信端末、通信を要求する方法、ネットワーク構成要素および通信端末にサービスを提供する方法に関する。
【０００２】
５Ｇに準拠する移動無線通信ネットワークのコアネットワークは、一般的に、複数のコアネットワークスライスを含み、各コアネットワークスライスは、特定の通信サービス、例えば車とあらゆるものとの通信（Ｖ２Ｘ：Vehicle-to-Everything）またはモバイルブロードバンドのさらなる高度化（ｅＭＢＢ：enhanced  Mobile  Broadband）を提供する役割を果たす。５Ｇコアネットワーク（５ＧＣ：5G  Core  Network）に登録されるユーザ機器（ＵＥ：User  Equipment）は、単一ネットワークスライス選択支援情報（Ｓ−ＮＳＳＡＩ：Single  Network  Slice  Selection  Assistance  Information）を使用して、ＵＥが要求するネットワークスライスを識別することができる。しかし、Ｓ−ＮＳＳＡＩは、一方のネットワーク（例えば、一方の公衆陸上移動体ネットワーク（ＰＬＭＮ：Public  Land  Mobile  Network））にのみ有効であって、他方のネットワークには有効でないことがある。したがって、ローミング時に在圏ＰＬＭＮ（ＶＰＬＭＮ：visited  PLMN）に登録された際に、ＵＥがＳ−ＮＡＡＳＩを示さないことが起こり得る。その結果、後にＵＥを専用のネットワークスライスにリダイレクトすることが必要になることがある。したがって、ローミングシナリオにおいてより効率的にネットワークスライスを割り当てるためのアプローチが所望される。
【０００３】
１つの実施形態によれば、通信端末が提供され、通信端末は、通信端末のホームコアネットワークから、ホームコアネットワークのネットワークスライスのスライス識別は別のコアネットワークにも有効であるという指示を受信するように構成された受信部と、接続要求を別のコアネットワークに送信し、スライス識別に基づいてネットワークスライスを要求するように構成された送信部と、を含む。
【０００４】
別の実施形態によれば、通信ネットワークのネットワーク構成要素が提供され、ネットワーク構成要素は、通信ネットワークがホームコアネットワークである通信端末に、通信ネットワークのコアネットワークのネットワークスライスのスライス識別が別のコアネットワークにも有効であるという指示を送信するように構成された送信部を含む。
【０００５】
さらに、上記の通信端末およびネットワーク構成要素による、接続を要求する方法および通信端末にサービスを提供する方法が提供される。
【０００６】
図中、同様の参照符号は、一般に、異なる図面を通して同じ部分を表す。図面は必ずしも縮尺通りではなく、その代わりに一般に本発明の原理を示すことに重点が置かれている。以下の説明では、添付の図面を参照して様々な態様を説明する。
【図面の簡単な説明】
【０００７】
【図１】無線通信システムを示す。
【図２】要求ＮＳＳＡＩ（Ｒｅｑｕｅｓｔｅｄ  ＮＳＳＡＩ）の提供を表すメッセージフロー図を示す。
【図３】ＶＰＬＭＮのカバレッジエリア内に存在し、ＶＰＬＭＮへの登録を試みるＵＥの挙動を表すメッセージフロー図を示す。
【図４】４Ｇと５Ｇとの間の相互作用シナリオを示す。
【図５】ＵＥがローミングを用いずに４Ｇから５Ｇへと移動する際のメッセージフローを表すメッセージフロー図を示す。
【図６】ＵＥがローミングを用いて４Ｇから５Ｇへと移動する際のメッセージフローを表すメッセージフロー図を示す。
【図７】ホームルーティング（ＨＲ：Home  Routed）シナリオにおける、ＶＰＬＭＮ進化型パケットコア（ＥＰＣ：Evolved  Packet  Core）からＶＰＬＭＮ  ５ＧＣへのＵＥのハンドオーバを表すメッセージフロー図を示す。
【図８】ＵＥがローミングを用いて４Ｇから５Ｇへと移動する際のメッセージフローを表すメッセージフロー図を示す。
【図９】ＵＥがＥＰＣにアタッチされる際のデフォルト構成ＮＳＳＡＩ（Ｄｅｆａｕｌｔ  Ｃｏｎｆｉｇｕｒｅｄ  ＮＳＳＡＩ）の指示の提供を表すメッセージフロー図を示す。
【図１０】ＵＥがＥＰＣにおいてパケットデータネットワーク（ＰＤＮ：Packet  Data  Network）接続（Ｃｏｎｎｅｃｔｉｖｉｔｙ）を設定する際のＤｅｆａｕｌｔ  Ｃｏｎｆｉｇｕｒｅｄ  ＮＳＳＡＩの指示の提供を表すメッセージフロー図を示す。
【図１１】ＶＰＬＭＮに有効になる前に示されたＳ−ＮＳＳＡＩに基づいた、ＵＥによるＶＰＬＭＮへの登録を表すメッセージフロー図を示す。
【図１２】ＵＥの接続モード（connected  mode）におけるハンドオーバに関する手順を表すメッセージフロー図１２００を示す。
【図１３】通信端末を示す。
【図１４】通信を要求する方法を表すフロー図を示す。
【図１５】ネットワーク構成要素を示す。
【図１６】通信端末にサービスを提供する方法を表すフロー図を示す。
【０００８】
以下の詳細な説明は、本発明を実施することができる本開示の特定の詳細および態様を例示として示す添付の図面を参照する。本発明の範囲から逸脱することなく、他の態様を利用することができ、また構造的、論理的および電気的な変更を行うことができる。本開示の一部の態様を本開示の１つまたは複数の他の態様と組み合わせて新しい態様を形成することができるので、本開示の様々な態様は、必ずしも相互排他的ではない。
【０００９】
図１は、無線通信システム１００を示す。
【００１０】
無線通信システム１００は、ＵＥ、ナノ機器（ＮＥ：Nano  Equipment）などの移動無線端末装置１０２を含む。加入者端末とも称される移動無線端末装置１０２は、端末側を形成し、その一方で、以下説明する無線通信システム１００の他の構成要素は、移動無線通信ネットワーク側の部分、すなわち移動無線通信ネットワークの部分（例えば、ＰＬＭＮ）である。
【００１１】
さらに、無線通信システム１００は、無線アクセスネットワーク（ＲＡＮ：Radio  Access  Network）１０３を含み、このＲＡＮ１０３は、複数のＲＡＮノード、すなわち５Ｇ（第５世代）無線アクセス技術（5G  New  Radio）に準拠する無線アクセスを提供するように構成された基地局を含むことができる。無線通信システム１００は、ＬＴＥ（Long  Term  Evolution）または別の移動無線通信標準に準拠するように構成することもできるが、ここでは一例として５Ｇが使用されていることに留意されたい。各ＲＡＮノードは、エアインタフェースを介して、移動無線端末装置１０２との無線通信を提供することができる。ＲＡＮ１０３は、任意の数のＲＡＮノードを含むことができることに留意されたい。
【００１２】
無線通信システム１００は、さらに、ＲＡＮ１０３に接続されたアクセスおよびモビリティ管理機能（ＡＭＦ：Access  and  Mobility  Management  Function）１０１、統合データ管理（ＵＤＭ：Unified  Data  Management）１０４およびネットワークスライス選択機能（ＮＳＳＦ：Network  Slice  Selection  Function）１０５を含むコアネットワークを含む。ここで、また以下の例において、ＵＤＭは、さらに、目下のＵＥのサブスクリプションデータベースから構成することができ、これは例えば、統合データリポジトリ（ＵＤＲ：Unified  Data  Repository）として公知である。コアネットワークは、さらに、認証サーバ機能（ＡＵＳＦ：Authentication  Server  Function）１１４およびポリシー制御機能（ＰＣＦ：Policy  Control  Function）１１５を含む。
【００１３】
コアネットワークは、複数のネットワークスライス１０６，１０７を有することができ、またネットワークスライス毎に、オペレータは、複数のネットワークスライスインスタンス（ＮＳＩ：Network  Slice  Instance）１０８，１０９を生成することができる。この例では、コアネットワークは、ｅＭＢＢを提供するための３つのコアネットワークスライスインスタンス（ＣＮＩ：Core  Network  slice  Instance）１０８を有する第１のコアネットワークスライス１０６と、Ｖ２Ｘを提供するための３つのＣＮＩ１０９を有する第２のコアネットワークスライス１０７と、を含む。
【００１４】
一般的に、ネットワークスライスが展開される場合、ネットワーク機能（ＮＦ：Network  Function）はインスタンス化されるか、または（既にインスタンス化されている場合には）ネットワークスライスインスタンス（ＮＳＩ：Network  Slice  Instance）を形成するために参照され、またＮＳＩに属するＮＦは、ＮＳＩ識別でもって構成される。
【００１５】
特に、この例では、第１のコアネットワークスライス１０６の各インスタンス１０８は、第１のセッション管理機能（ＳＭＦ：Session  Management  Function）１１０および第１のユーザプレーン機能（ＵＰＦ：User  Plane  Function）１１１を含み、第２のコアネットワークスライス１０７の各インスタンス１０９は、第２のＳＭＦ１１２および第２のＵＰＦ１１３を含む。
【００１６】
Ｓ−ＮＳＳＡＩは、ネットワークスライスを識別し、
−特徴およびサービスに関して期待されるネットワークスライスの挙動を表すスライス／サービスタイプ（ＳＳＴ：Slice/Service  type）；
−同一のスライス／サービスタイプの複数のネットワークスライスを区別するためにＳＳＴを補完する任意の情報であるスライス区別（ＳＤ：Slice  Differentiator）；
から成る。
【００１７】
ＮＳＳＡＩは、１つ以上のＳ−ＮＳＳＡＩを含むことができる。
【００１８】
許可ＮＳＳＡＩ（Ａｌｌｏｗｅｄ  ＮＳＳＡＩ）は、例えば登録手順中にサービングＰＬＭＮによって提供されるＮＳＳＡＩであり、目下の登録エリアに関するサービングＰＬＭＮ内のＵＥに対してネットワークによって許可されたＳ−ＮＳＳＡＩ値を示す。
【００１９】
Ｃｏｎｆｉｇｕｒｅｄ  ＮＳＳＡＩは、ＵＥに供給されたＮＳＳＡＩである。これは１つ以上のＰＬＭＮに適用可能である。
【００２０】
Ｒｅｑｕｅｓｔｅｄ  ＮＳＳＡＩは、図２に示したように、登録中にＵＥがネットワークに提供するＮＳＳＡＩである。
【００２１】
図２は、メッセージフロー図２００を示す。
【００２２】
メッセージフローは、例えば図１のＵＥ１０２に対応するＵＥ２０１と、ネットワーク側を表す（例えば、図１のＲＡＮ１０３およびＡＭＦ１０１に対応する）ＲＡＮおよびＡＭＦとの間で生じる。
【００２３】
ＵＥ２０１がＡＭＦに登録される際、ＵＥ２０１は、２０３において、Ｒｅｑｕｅｓｔｅｄ  ＮＳＳＡＩを（ＲＡＮを介して）ＡＭＦに示す。続いて、ＡＭＦは、２０４において、Ａｌｌｏｗｅｄ  ＮＳＳＡＩを（ＲＡＮを介して）ＵＥ２０１に送信する。
【００２４】
ＵＥ２０１は、Ｃｏｎｆｉｇｕｒｅｄ  ＮＳＳＡＩまたはＡｌｌｏｗｅｄ  ＮＳＳＡＩのいずれかからＲｅｑｕｅｓｔｅｄ  ＮＳＳＡＩを導き出す。例えば、ＵＥが起動されるか、またはＵＥに加入者識別モジュール（ＳＩＭ：Subscriber  Identity  Module）が挿入されると、ＵＥは、Ｃｏｎｆｉｇｕｒｅｄ  ＮＳＳＡＩから、Ｒｅｑｕｅｓｔｅｄ  ＮＳＳＡＩを決定する。他方、例えばＵＥが（例えば、トラッキングエリア更新（ＴＡＵ：Tracking  Area  Update）に起因して）周期的な登録を実行する場合には、ＵＥは、Ａｌｌｏｗｅｄ  ＮＳＳＡＩから、Ｒｅｑｕｅｓｔｅｄ  ＮＳＳＡＩを決定する。
【００２５】
ＵＥのＨＰＬＭＮによって構成されたＤｅｆａｕｌｔ  Ｃｏｎｆｉｇｕｒｅｄ  ＮＳＳＡＩが存在してもよく、これは、固有のＣｏｎｆｉｇｕｒｅｄ  ＮＳＳＡＩがＵＥに提供されていない（少なくとも特定のグループの、例えばホームＰＬＭＮ（ＨＰＬＭＮ：home  PLMN）のローミングパートナーの）任意のＰＬＭＮに適用される。例えば、ローミングパートナーのグループ（ＰＬＭＮのオペレータ）は、一般に、Ｄｅｆａｕｌｔ  Ｃｏｎｆｉｇｕｒｅｄ  ＮＳＳＡＩを決定することができる。
【００２６】
図３は、ＶＰＬＭＮのカバレッジエリア内に存在し（すなわちＵＥ３０１のＨＰＬＭＮ内に存在せず）、かつＶＰＬＭＮへの登録を試みるＵＥ３０１の挙動を表すメッセージフロー図３００を示す。
【００２７】
ＵＥ３０１は、例えば、図１のＵＥ１０２に対応する。ネットワーク側は、ＲＡＮおよびＡＭＦ３０２（例えば、図１のＲＡＮ１０３およびＡＭＦ１０１に対応するが、ＶＰＬＭＮのＲＡＮおよびＡＭＦである）によって示されている。
【００２８】
登録のために、ＵＥ３０１は、先ずこのＰＬＭＮ（ＶＰＬＭＮ）のＣｏｎｆｉｇｕｒｅｄ  ＮＳＳＡＩ値を有しているかどうかを検査する。
【００２９】
有している場合には、ＵＥ３０１は、３０３において、このＰＬＭＮに関するＣｏｎｆｉｇｕｒｅｄ  ＮＳＳＡＩに由来するＲｅｑｕｅｓｔｅｄ  ＮＳＳＡＩを含む登録要求（Registration  Request）をネットワーク側３０３に送信する。
【００３０】
ＵＥ３０１が、このＰＬＭＮに関するＣｏｎｆｉｇｕｒｅｄ  ＮＳＳＡＩを有していない場合、ＵＥ３０１は、Ｄｅｆａｕｌｔ  Ｃｏｎｆｉｇｕｒｅｄ  ＮＳＳＡＩを有しているかどうかを検査する。ＵＥ３０１がＤｅｆａｕｌｔ  Ｃｏｎｆｉｇｕｒｅｄ  ＮＳＳＡＩを有している場合、ＵＥ３０１は、３０２において、Ｄｅｆａｕｌｔ  Ｃｏｎｆｉｇｕｒｅｄ  ＮＳＳＡＩ値に対応するＲｅｑｕｅｓｔｅｄ  ＮＳＳＡＩの指示と共に登録要求を送信する。
【００３１】
ＵＥが、このＰＬＭＮに関するＣｏｎｆｉｇｕｒｅｄ  ＮＳＳＡＩも、Ｄｅｆａｕｌｔ  Ｃｏｎｆｉｇｕｒｅｄ  ＮＳＳＡＩも有していない場合、ＵＥは、３０２において、空の（すなわち、いずれのＳ−ＮＳＳＡＩ値も含んでいない）Ｒｅｑｕｅｓｔｅｄ  ＮＳＳＡＩと共に登録要求を送信する。
【００３２】
ネットワーク側３０２は、３０４において、（ＵＥに関するＨＰＬＭＮ  Ｓ−ＮＳＳＡＩにマッピングされたＶＰＬＭＮ  Ｓ−ＮＳＳＡＩである）Ａｌｌｏｗｅｄ  ＮＳＳＡＩのマッピングと共に、（ＶＰＬＭＮ  Ｓ−ＮＳＳＡＩを含む）Ａｌｌｏｗｅｄ  ＮＳＳＡＩの指示でもって応答する。
【００３３】
図４は、４Ｇと５Ｇとの相互作用シナリオを示す。
【００３４】
通信システム４００は、４Ｇ（第４世代）ＵＥ４０１および５Ｇ  ＵＥ４０２を含み、これらは同一のモバイル端末であってよく、最初は４Ｇ  ＵＥ４０１として動作し、移動後またはハンドオーバ後は、５Ｇ  ＵＥ４０２として動作する。つまり、ＵＥ４０１，４０２は、（例えば、図１のＵＥ１０２に対応する）同一のＵＥであってよく、先ず４Ｇ移動通信ネットワークに接続され、その後、５Ｇ移動通信ネットワークに接続される。
【００３５】
４Ｇ  ＵＥ４０１は、４Ｇ  ＲＡＮ４０３、すなわち進化型ユニバーサル移動体通信システム地上無線アクセスネットワーク（Ｅ−ＵＴＲＡＮ：evolved  UMTS（Universal  Mobile  Telecommunications  System）Terrestrial  Radio  Access  Network）を介して、モビリティ管理エンティティ（ＭＭＥ：Mobility  Management  Entity）４０４およびサービングゲートウェイ（ＳＧＷ：Serving  Gateway）４０５に接続される。
【００３６】
５Ｇ  ＵＥ４０２は、５Ｇ  ＲＡＮ４０６およびＡＭＦ４０７に接続される。
【００３７】
通信システム４００は、４Ｇ機能と５Ｇ機能とを結合させる構成要素を含む。それらの機能は、ＵＰＦ＋パケットデータネットワークゲートウェイユーザプレーン（ＰＧＷ−Ｕ：Packet  Data  Network  Gateway  User  Plane）４０８、ＳＭＦ＋パケットデータネットワークゲートウェイ制御プレーン（ＰＧＷ−Ｃ：PGW  Control  Plane）４０９、ＰＣＦ＋ポリシーおよび課金ルール機能（ＰＣＲＦ：Policy  and  Charging  Rules  Function）４１０およびホーム加入者サーバ（ＨＳＳ：Home  Subscriber  Server）＋ＵＤＭ４１１を含む。
【００３８】
ＳＧＷ４０５は、ＳＭＦ＋ＰＧＷ−Ｃ４０９およびＵＰＦ＋ＰＧＷ−Ｕ４０８に接続される。ＭＭＥ４０４は、ＨＳＳ＋ＵＤＭ４１１に接続される。ＡＭＦ４０７は、ＰＣＦ＋ＰＣＲＦ４１０、ＨＳＳ＋ＵＤＭ４１１およびＳＭＦ＋ＰＧＷ−Ｃ４０９に接続される。５Ｇ  ＲＡＮ４０６は、ＵＰＦ＋ＰＧＷ−Ｕ４０８に接続される。
【００３９】
さらに、Ｎ２６インタフェース４１２によって、ＭＭＥ４０４とＡＭＦ４０７とを接続することができる。
【００４０】
ＭＭＥ４０４、ＳＧＷ４０５、ＵＰＦ＋ＰＧＷ−Ｕ４０８、ＳＭＦ＋ＰＧＷ−Ｃ４０９、ＰＣＦ＋ＰＣＲＦ４１０およびＨＳＳ＋ＵＤＭ４１１は、ＥＰＣの一部、すなわち４Ｇ移動通信ネットワークのコアネットワークの一部である。
【００４１】
ＡＭＦ４０７、ＵＰＦ＋ＰＧＷ−Ｕ４０８、ＳＭＦ＋ＰＧＷ−Ｃ４０９、ＰＣＦ＋ＰＣＲＦ４１０およびＨＳＳ＋ＵＤＭ４１１は、５ＧＣの一部、すなわち５Ｇ移動通信ネットワークのコアネットワークの一部である。したがって、４Ｇの機能および５Ｇの機能を結合する構成要素は、４Ｇコアネットワークおよび５Ｇコアネットワーク両方の一部である。５Ｇの機能および構成要素は、図１に示したような５Ｇの機能および構成要素に対応してよい。特に、それらの機能および構成要素は、異なるネットワークスライスおよび／またはネットワークスライスインスタンスに対して複数回提供することができる。
【００４２】
ＳＭＦ＋ＰＧＷ−Ｃ４０９は、セッション管理（Session  Management）のための（４Ｇコアネットワーク（ＥＰＣ）および５Ｇコアネットワーク（５ＧＣ）に共通する）制御プレーンエンティティであり、（ＳＧＷ１０５とのＳ５インタフェースによって）ＥＰＣへのＧＴＰ−Ｃ（GPRS  Tunneling  Protocol-Control  Plane）を終了させ、また（ＡＭＦ４０７とのＮ１１インタフェースによって）５ＧＣへのＨＴＴＰ／ＲＥＳＴ  （Hypertext  Transfer  Protocol/Representational  State  Transfer）を終了させる。
【００４３】
ＨＳＳ＋ＵＤＭ１１１は、（ＥＰＣおよび５ＧＣに共通する）サブスクリプションデータベースである。ＨＳＳ＋ＵＤＭ１１１は、（ＭＭＥ４０４とのＳ６ａインタフェースを介して）ＥＰＣへのＤＩＡＭＥＥＲを終了させ、また（ＡＭＦ４０７とのＮ８インタフェースおよびＳＭＦ４０９とのＮ１０インタフェースを介して）５ＧＣへのＨＴＴＰ／ＲＥＳＴを終了させる。Ｎ２６インタフェースが展開されていない通信システムにおいては、モビリティソースネットワークおよびターゲットネットワークが、ＨＳＳ＋ＵＤＭを介して、ＵＥサブスクリプションプロファイルを共有することができる。
【００４４】
ＳＭＦ＋ＰＧＷ−Ｃ４０９は、複数のＳＭＦ（またはＳＭＦインスタンス）およびＰＧＷ（またはＰＧＷインスタンスもしくはＰＧＷリソース）を実装することができる。ＵＥ４０１は、ＥＰＣにおいて、１つ以上のＰＤＮ接続を有することができる。それらのＰＤＮ接続は、同一のＰＧＷまたは異なるＰＧＷとの接続であってよい。
【００４５】
上述したように、ＵＥ４０１，４０２は、４Ｇネットワークから５Ｇネットワークに移動する場合がある。
【００４６】
図５は、ＵＥ５０１がローミングを用いずに（すなわち、ＵＥ５０１のＨＰＬＭＮ内で）４Ｇから５Ｇに移動する際のメッセージフローを表すメッセージフロー図５００を示す。
【００４７】
メッセージフローは、ＵＥ５０１とＥＰＣ５０２（特にＰＧＷ−Ｃ＋ＳＭＦ）との間、およびＵＥ５０１と５ＧＣ５０３との間で生じる。
【００４８】
ＥＰＣ５０２におけるアタッチ（Attach）およびＰＤＮ接続確立中に、ＵＥ５０１は、ＰＤＵセッションＩＤ（PDU  Session  ID）を割り当て、このＰＤＵセッションＩＤを、５０４において、プロトコル構成オプション（ＰＣＯ：Protocol  Configuration  Options）を介して、ＰＧＷ−Ｃ＋ＳＭＦに送信する。
【００４９】
ＰＤＮ接続に関連付けられたＳ−ＮＳＳＡＩは、ＰＧＷ−Ｃ＋ＳＭＦによってオペレータポリシーに基づいて決定され、５０５において、ＰＣＯでＵＥに送信される。
【００５０】
ＵＥが、５０６において、例えばハンドオーバ時にＥＰＣから５ＧＣに移動すると、ＵＥ５０１は、５０７において、自身の確立されたＰＤＮ接続に関連付けられた（ＥＰＣ５０２から受信した）Ｓ−ＮＳＳＡＩを、ＲＲＣ接続確立（RRC  Connection  Establishment）およびＮＡＳ登録（NAS  Registration）手順メッセージに含めるＲｅｑｕｅｓｔｅｄ  ＮＳＳＡＩによって、５ＧＣ５０３に示す。
【００５１】
５ＧＣ５０３は、５０８において、登録受諾（Registration  Accept）でもって応答する。
【００５２】
図６は、ＵＥ６０１が、ＶＰＬＭＮローミングで４Ｇから５Ｇに（すなわち、ＵＥ６０１のＶＰＬＭＮのＥＰＣからＶＰＬＭＮの５ＧＣに）移動する際のメッセージフローを表すメッセージフロー図６００を示す。
【００５３】
メッセージフローは、ＵＥ６０１と（ＵＥがＰＶＬＭＮ  ＥＰＣを介して通信する際に用いる）ＨＰＬＭＮ  ＥＰＣ６０２（特に、ＰＧＷ−Ｃ＋ＳＭＦ）との間、およびＵＥ６０１とＶＰＬＭＮ  ５ＧＣ６０３との間で生じる。
【００５４】
ＥＰＣ６０２におけるアタッチおよびＰＤＮ接続確立中に、ＵＥ６０１は、ＰＤＵセッションＩＤを割り当て、このＰＤＵセッションＩＤを、６０４において、ＰＣＯを介して、ＨＰＬＭＮのＰＧＷ−Ｃ＋ＳＭＦに送信する。
【００５５】
ＰＤＮ接続に関連付けられた（ＨＰＬＭＮの）Ｓ−ＮＳＳＡＩは、ＰＧＷ−Ｃ＋ＳＭＦによってオペレータポリシーに基づいて決定され、６０５において、ＰＣＯでＵＥに送信される。
【００５６】
現行の３ＧＰＰ（第３世代パートナシッププロジェクト）仕様によれば、ＵＥが、６０６において、例えばハンドオーバ時にＥＰＣから５ＧＣに移動する場合、ＨＰＬＭＮ  Ｓ−ＮＳＳＡＩの値がＶＰＬＭＮにおいて有効でないことが想定されるので、ＵＥ６０１は、ＲＲＣ接続確立にＨＰＬＭＮ  Ｓ−ＮＳＳＡＩを含めない。したがって、ＵＥ６０１は、６０７において、空のＲｅｑｕｅｓｔｅｄ  ＮＳＳＡＩを送信するか、いずれのＳ−ＮＳＳＡＩも送信しないが、ＥＰＣのＰＧＷ−Ｃ＋ＳＭＦから受信したＨＰＬＭＮ  Ｓ−ＮＳＳＡＩ値をＮＡＳ登録メッセージに含める。
【００５７】
したがって、現行の３ＧＰＰ仕様（Release  15）によれば、ＨＰＬＭＮ  Ｓ−ＮＳＳＡＩが（５ＧＣ６０３が属するＶＰＬＭＮを含む）別のＰＬＭＮに有効である場合であっても、ＵＥは、ＨＰＬＭＮ  Ｓ−ＮＳＳＡＩをＲＲＣ接続確立に含めない。
【００５８】
５ＧＣ６０３は、６０８において、登録受諾でもって応答する。
【００５９】
ＵＥが、（例えば、いずれもＶＰＬＭＮの）ＥＰＣから５ＧＣに移動した後に、５ＧＣに登録される際にＳ−ＮＳＳＡＩを含んでいない場合には、リダイレクトが５ＧＣにおいて必要になる場合がある。このことは、図７に示されている。
【００６０】
図７は、ＨＲシナリオにおける、ＶＰＬＭＮ  ＥＰＣからＶＰＬＭＮ  ５ＧＣへのＵＥ７０１のハンドオーバを表すメッセージフロー図７００を示す。
【００６１】
メッセージフローは、ＵＥ７０１と、ＶＰＬＭＮのＥＰＣ７０２と、ＵＥのＨＰＬＭＮのＰＧＷ−Ｃ＋ＳＭＦ７０３と、ＶＰＬＭＮの５ＧＣ７０４との間で生じる。
【００６２】
７０５において、ＵＥ７０１は、ＰＤＮ接続要求（PDN  Connectivity  Request）をＥＰＣ７０２に送信して、ＥＰＣとのＰＤＮ接続（PDN  connectivity）を確立する。
【００６３】
７０６において、ＥＰＣ７０２は、セッション生成要求（Create  Session  Request）をＰＧＷ−Ｃ＋ＳＭＦ７０３に送信する。詳細には、７０２におけるＭＭＥが、ＰＤＮ接続はホームルーティングされる必要があることを決定し、ＨＰＬＭＮのＰＧＷ−Ｃ（ＰＧＷ）７０３を選択し、セッション生成要求を、７０２におけるＳＧＷを介して、ＰＧＷ−Ｃ７０３にトリガする。
【００６４】
７０７において、（ＵＥのＨＰＬＭＮにおける）ＰＧＷ−Ｃ＋ＳＭＦ７０３は、関連付けられたＰＤＮ接続に関するＨＰＬＭＮ  Ｓ−ＮＳＳＡＩを、ＵＥへのセッション生成応答（Create  Session  Response）を用いて提供する。
【００６５】
７０８において、ＥＰＣ７０２は、ＰＤＮ接続応答（PDN  Connectivity  Response）７０８をＵＥ７０１に送信する。
【００６６】
ＵＥ７０１が、例えば７０９におけるハンドオーバに起因して、ＥＰＣ７０２から５ＧＣ７０４に移動する場合、ＵＥは、Ｃｏｎｆｉｇｕｒｅｄ  ＮＳＳＡＩにＶＰＬＭＮ  Ｓ−ＮＳＳＡＩを有しておらず、またＨＰＭＮ  Ｓ−ＮＳＳＡＩの値をＶＰＬＭＮ  Ｓ−ＮＳＳＡＩの値にマッピングすることができないので、ＵＥは、７１０において、登録要求にＨＰＬＭＮ  Ｓ−ＮＳＳＡＩを含めない。
【００６７】
したがって、５ＧＣユーザプレーンデータ転送は、先ず、デフォルトスライス（Default  Slice）７１２によって実行され、続いて５ＧＣ７０４が、７１１において、専用スライス（Dedicated  Slice）７１２（例えばＵＥ７０１のサブスクリプションに従った、例えばＵＥ７０１にとっての適切なスライス、または例えばＶ２ＸもしくはｅＭＢＢに専用のスライス）へのリダイレクトを実行する。
【００６８】
したがって、この例では、デフォルトスライス７１２から専用スライス７１３へのトラフィックのリダイレクトが必要になる。
【００６９】
以下では、特に図７に示したようなＨＲローミング（ただし、これに限定されるものではない）時の、スライスリダイレクトを回避することを可能にするアプローチを説明する。
【００７０】
図８は、１つの実施形態による、ＵＥ８０１がローミングを用いて４Ｇから５Ｇへと（すなわち、ＵＥ８０１のＨＰＬＭＮのＥＰＣからＶＰＬＭＮの５ＧＣへと）移動する際のメッセージフローを表すメッセージフロー図８００を示す。
【００７１】
メッセージフローは、ＵＥ８０１とＶＰＬＭＮ  ＥＰＣとＨＰＬＭＮのＰＧＷ−Ｃ＋ＳＭＦ８０２（特にＰＧＷ−Ｃ＋ＳＭＦ）との間、およびＵＥ８０１とＶＰＬＭＮ  ５ＧＣ８０３との間で生じる。
【００７２】
ＥＰＣ８０２におけるアタッチおよびＰＤＮ接続確立中に、ＵＥ８０１は、ＰＤＵセッションＩＤを割り当て、このＰＤＵセッションＩＤを、８０４において、ＰＣＯを介して、ＰＧＷ−Ｃ＋ＳＭＦに送信する。
【００７３】
ＰＤＮ接続に関連付けられた（ＨＰＬＭＮの）Ｓ−ＮＳＳＡＩは、ＰＧＷ−Ｃ＋ＳＭＦ（特にＰＧＷ−Ｃ）によって決定され、８０５において、アタッチ／ＰＤＮ接続応答を用いてＵＥに送信される。
【００７４】
図８のフローとは対照的に、ＰＧＷ−Ｃ＋ＳＭＦ８０２は、８０５の応答において、Ｓ−ＮＳＳＡＩがＶＰＬＭＮまたは任意のＶＰＬＭＮにおいても有効である（ＰＧＷ−Ｃ＋ＳＭＦ８０２が、ローカル／オペレータ構成またはポリシーに基づいて、そのように有効であることを決定している場合）というＵＥ８０１への指示を含める。このＳ−ＮＳＳＡＩは、Ｄｅｆａｕｌｔ  Ｓ−ＮＳＳＡＩであるので、例えば、ＶＰＬＭＮにおいても有効であり得る。さらに、ＰＧＷ−Ｃ＋ＳＭＦは、いくつかのルール（例えば、ＵＥルート選択ポリシー（ＵＲＳＰ：UE  Route  Selection  Policy）またはネットワークスライス選択ポリシー（ＮＳＳＰ：Network  Slice  Selection  Policy））を、提供されたＳ−ＮＳＳＡＩとのアプリケーション関連のために、ＵＥに提供することもできる。
【００７５】
したがって、ＵＥ８０１は、Ｓ−ＮＳＳＡＩがＶＰＬＭＮにおいて有効であることを知る。
【００７６】
８０６において、ＥＰＣから５ＧＣへのハンドオーバ中に、５ＧＣに移動する際、ＵＥ８０１は、８０７において、８０５において受信したＳ−ＮＳＳＡＩを含むＲｅｑｕｅｓｔｅｄ  ＮＳＳＡＩを５ＧＣ８０３に送信する。Ｒｅｑｕｅｓｔｅｄ  ＮＳＳＡＩは、さらに、このＳ−ＮＳＳＡＩはＤｅｆａｕｌｔ  Ｃｏｎｆｉｇｕｒｅｄ  ＮＳＳＡＩ値であるということを登録要求において示すことができる。
【００７７】
５ＧＣ８０３は、８０８において、登録受諾でもって応答する。
【００７８】
図８に示したように、アタッチ手順中に、またはＰＤＮ接続確立中に、Ｓ−ＮＳＳＡＩを、このＳ−ＮＳＳＡＩが別のＰＬＭＮ（例えばＶＰＬＭＮ）にも有効であるという指示と共に、ＥＰＣから送信することができる。これら２つのオプション（いずれも使用することができ、また組み合わせても使用することができる）に関する手順の例は、図９および図１０にそれぞれ示されている。
【００７９】
図９は、１つの実施形態による、ＵＥがＥＰＣにアタッチされる際の、Ｄｅｆａｕｌｔ  Ｃｏｎｆｉｇｕｒｅｄ  ＮＳＳＡＩの指示、またはＳ−ＮＳＳＡＩがＶＰＬＭＮまたは任意のＰＬＭＮにおいて有効であるという指示の提供を表すメッセージフロー図９００を示す。
【００８０】
メッセージフローは、ＵＥ９０１と、基地局（ｅＮＢ）９０２と、ＭＭＥ９０３と、ＳＧＷ９０４と、ＰＧＷまたはＰＧＷ−Ｃ９０５と、ＨＳＳ９０６との間で生じる。ＰＧＷ／ＰＧＷ−Ｃ９０５およびＨＳＳ９０６は、ＵＥのＨＰＬＭＮ  ５ＧＣの一部である。ｅＮＢ９０２、ＭＭＥ９０３およびＳＧＷ９０３は、ＶＰＬＭＮ  ＥＰＣの一部であってよい。
【００８１】
９０７において、ＵＥ９０１は、（５Ｇ  ＰＤＵセッションＩＤを含む）アタッチ要求（Attach  Request)をｅＮＢ９０２に送信する。
【００８２】
９０８において、ｅＮＢ９０２は、アタッチ要求をＭＭＥ９０３に転送する。
【００８３】
９０９において、ＭＭＥ９０３は、ＵＥ９０１の認証（Authentication）を実行する。
【００８４】
９１０において、ＭＭＥ９０３は、ＳＧＷ９０４を介して、（ＰＤＵセッションＩＤを含む）セッション生成要求をＰＧＷ／ＰＧＷ−Ｃ９０５に送信する。
【００８５】
９１１において、ＰＧＷ／ＰＧＷ−Ｃは、ＰＤＮ接続に関連付けられたＳ−ＮＳＳＡＩ、およびＳ−ＮＳＳＡＩが（１つ以上の）別のＰＬＭＮにおいて有効であるという指示（例えば、このＳ−ＮＳＳＡＩは、Ｄｅｆａｕｌｔ  Ｃｏｎｆｉｇｕｒｅｄ  ＮＳＳＡＩに由来する／Ｄｅｆａｕｌｔ  Ｃｏｎｆｉｇｕｒｅｄ  ＮＳＳＡＩについてのＳ−ＮＳＳＡＩであるという指示、またはこのＳ−ＮＳＳＡＩは、少なくとも、ｅＮＢ９０２、ＭＭＥ９０３およびＳＧＷ９０４が属するＰＬＭＮにおいて有効であるという指示）を判定し、セッション生成応答において、ＳＧＷ９０４からＭＭＥ９０３を介して、ＰＣＯでＵＥに送信する。必要に応じて、ＰＧＷ−Ｃ９０５は、ＵＥへのＰＣＯにアプリケーション関連ポリシー（例えばＵＲＳＰまたはＮＳＳＰ）を含めることができる。
【００８６】
９１２において、ＭＭＥ９０３は、Ｓ−ＮＳＳＡＩと、このＳ−ＮＳＳＡＩが（１つ以上の）別のＰＬＭＮにおいて有効であるという指示と、を含むアタッチ受諾（Attach  Accept）を、９１１においてＰＧＷ／ＰＧＷ−Ｃから受信したＰＣＯ情報と共にＵＥ９０１に送信する。
【００８７】
ＵＥ９０１は、続いて、Ｓ−ＮＳＳＡＩと、ＶＰＬＭＮの５ＧＣへの登録時における後の使用のための指示（例えば、このＳ−ＮＳＳＡＩはＤｅｆａｕｌｔ  Ｃｏｎｆｉｇｕｒｅｄ  ＮＳＳＡＩであるという、Ｓ−ＮＳＳＡＩに関する指示）と、ＰＤＮ接続に関連付けられたＰＬＭＮ  ＩＤと、を記憶することができる。
【００８８】
図１０は、１つの実施形態による、ＵＥがＥＰＣにおいてＰＤＮ接続を設定する際のＤｅｆａｕｌｔ  Ｃｏｎｆｉｇｕｒｅｄ  ＮＳＳＡＩの指示の提供を表すメッセージフロー図１０００を示す。
【００８９】
メッセージフローは、ＵＥ１００１と、基地局１００２と、ＭＭＥ１００３と、ＳＧＷ１００４と、ＰＧＷまたはＰＧＷ−Ｃ１００５と、ＨＳＳ１００６との間で生じる。ＰＧＷ／ＰＧＷ−Ｃ１００５およびＨＳＳ１００６は、ＵＥのＨＰＬＭＮ  ５ＧＣの一部である。ｅＮＢ１００２、ＭＭＥ１００３およびＳＧＷ１００３は、ＶＰＬＭＮ  ＥＰＣの一部であってよい。
【００９０】
１００７において、ＵＥ１００１は、（５Ｇ  ＰＤＵセッションＩＤを含む）ＰＤＮ接続要求を（ｅＮＢ１００２を介して）ＭＭＥ１００３に送信する。
【００９１】
ＭＭＥ１００３、ＳＧＷ１００４およびＰＧＷ／ＰＧＷ−Ｃ（また場合によっては別の構成要素）は、ＥＰＣに関するＰＤＮ接続要求手順（PDN  Connectivity  Request  Procedure）に従う。
【００９２】
特に、１００８において、ＭＭＥ１００３は、ＳＧＷ１００４を介して、（ＰＤＵセッションＩＤを含む）セッション生成要求をＰＧＷ／ＰＧＷ−Ｃ１００５に送信する。
【００９３】
１００９において、ＰＧＷ−Ｃ＋ＳＭＦ１００５が５ＧＣとのＰＤＣ接続の相互作用を提供することを受諾すると、ＰＧＷ−Ｃ＋ＳＭＦ１００５は、オペレータポリシーに基づいて、ＰＤＮ接続に関連付けられたＳ−ＮＳＳＡＩを決定する。ＰＧＷ−Ｃ＋ＳＭＦ１００５は、ＰＤＮ接続に関連付けられたＳ−ＮＳＳＡＩ、およびこのＳ−ＮＳＳＡＩが（１つ以上の）別のＰＬＭＮにおいて有効であるという指示（例えば、このＳ−ＮＳＳＡＩがＤｅｆａｕｌｔ  Ｓ−ＮＳＳＡＩであるという指示、またはこのＳ−ＮＳＳＡＩが、少なくとも、ｅＮＢ１００２、ＭＭＥ１００３およびＳＧＷ１００４が属するＶＰＬＭＮにおいて有効であるという指示）を、セッション生成応答において、ＳＧＷ１００４からＭＭＥ１００３を介して、ＰＣＯでＵＥに送信する。ＰＧＷ−Ｃ＋ＳＭＦ１００５は、そのような指示を（例えば、ＰＧＷ−Ｃ＋ＳＭＦのそのようなデフォルト構成スライス（default  configured  slice）へのオペレータマッピングに基づいて、および／またはＰＧＷ−Ｃ＋ＳＭＦにおけるＵＥ毎ならびに／もしくはスライス毎のローカルポリシー構成もしくはＵＤＭから受信したＵＥサブスクリプション情報などに基づいて）決定および／または生成することができる。さらに、必要に応じて、ＰＧＷ−Ｃ１００５は、アプリケーション関連ポリシー（例えば、ＵＲＳＰまたはＮＳＳＰまたはローカル構成ポリシー）をＵＥへのＰＣＯに含めることができる。
【００９４】
１０１０において、ＭＭＥ１００３は、特にＳ−ＮＳＳＡＩと、このＳ−ＮＳＳＡＩが（１つ以上の）別のＰＬＭＮにおいて有効であるという指示とを含む、１００９において受信した、ＰＣＯを含むＰＤＮ接続受諾（PDN  Connectivity  Accept）をＵＥ１００１に送信する。
【００９５】
ＵＥ１００１は、続いて、Ｓ−ＮＳＳＡＩと、ＶＰＬＭＮの５ＧＣへの登録時における後の使用のための指示（例えば、このＳ−ＮＳＳＡＩはＤｅｆａｕｌｔ  Ｃｏｎｆｉｇｕｒｅｄ  ＮＳＳＡＩであるという、Ｓ−ＮＳＳＡＩに関する指示）と、ＰＤＮ接続に関連付けられたＰＬＭＮ  ＩＤと、を記憶することができる。
【００９６】
図１１は、ＶＰＬＭＮに有効になる前に示されたＳ−ＮＳＳＡＩに基づいた、ＵＥによるＶＰＬＭＮ  ５ＧＣへの登録を表すメッセージフロー図１１００を示す。
【００９７】
メッセージフローは、ＵＥ１１０１と、５Ｇ  ＲＡＮ１１０２と、ＶＰＬＭＮのＡＭＦ１１０３との間で生じる。
【００９８】
ＵＥ１１０１は、ＥＰＣから、ＵＥのＨＰＬＭＮのＳ−ＮＳＳＡＩがＶＰＬＭＮにも有効であるという指示をＰＣＯにおいて受信したことを想定する。ＵＥ１１０１は、例えば、この指示を図９または図１０に従い受信することができる。
【００９９】
したがって、１１０４において、ＵＥ１１０１は、ＥＰＣから受信したＳ−ＮＳＳＡＩをＤｅｆａｕｌｔ  Ｃｏｎｆｉｇｕｒｅｄ  ＮＳＳＡＩとみなす。
【０１００】
１１０５において、ＵＥ１１０１は、（例えば図８の８０７と同様に）登録要求をＲＡＮ１１０２に送信する。登録要求において、ＵＥ１１０１は、（ＥＰＣから受信した）Ｓ−ＮＳＳＡＩを、このＳ−ＮＳＳＡＩはＤｅｆａｕｌｔ  Ｃｏｎｆｉｇｕｒｅｄ  ＮＳＳＡＩであるという指示と共に、Ｒｅｑｕｅｓｔｅｄ  ＮＳＳＡＩに含ませる。
【０１０１】
１１０６において、ＲＡＮ１１０２は、Ｒｅｑｕｅｓｔｅｄ  ＮＳＳＡＩに基づいてＡＭＦ選択を実行し、１１０７において、選択されたＡＭＦ１１０３に登録要求を転送する。
【０１０２】
ＡＭＦ１１０３（およびＰＧＷ−Ｃ、ＰＣＦ、ＨＳＳ等の別の５ＧＣ構成要素）は、続いて、登録手順を実行する。これは、特に、ＡＭＦ１１０３がＵＥのコンテキストをＥＰＣのＭＭＥからフェッチすることを含むことができる。登録手順では、登録要求において示されたＳ−ＮＳＳＡＩに基づいて、ＵＥに関して対してスライスが選択される。
【０１０３】
登録手順後に、ＡＭＦ１１０３は、１１０８において、ＵＥ１１０１に登録受諾を送信し、１１０９において登録が完了する。登録受諾でもって、または登録手順後に、ＡＭＦは、ＶＰＬＭＮのＣｏｎｆｉｇｕｒｅｄ  ＮＳＳＡＩをＵＥに提供することができる。
【０１０４】
図１１に示した手順は、例えば、ＵＥ１１０１がアイドルモード（idle  mode）においてＥＰＣから５ＧＣに移動する際に適用することができる。接続モードでのＥＰＣから５ＧＣへのハンドオーバに関して、すなわち接続モードモビリティに関して、ＵＥが５ＧＣへの登録を実行する前に（登録の実行中に、ＵＥは例えば１１０５のように、Ｒｅｑｕｅｓｔｅｄ  ＮＳＳＡＩにＳ−ＮＳＳＡＩを含ませる）、図１２に示したような手順を実行することができる。
【０１０５】
図１２は、ＵＥの接続モードにおけるハンドオーバに関する手順を表すメッセージフロー図１２００を示す。
【０１０６】
メッセージフローは、ＵＥ１２０１と、４Ｇ  ＲＡＮ（Ｅ−ＵＴＲＡＮ）１２０２と、５Ｇ  ＲＡＮ１２０３と、ＭＭＥ１２０４と、ＡＭＦ１２０５と、Ｓ−ＧＷ１２０６と、（ＶＰＬＭＮの）在圏ＳＭＦ（Ｖ−ＳＭＦ：visited  SMF）１２０７と、（ＶＰＬＭＮの）在圏ＵＰＤ（Ｖ−ＵＰＤ：visited  UPD）１２０８と、（ＵＥのＨＰＬＭＮの）ＳＭＦ＋ＰＧＷ−Ｃ１２０９と、（ＵＥのＨＰＬＭＮの）ＵＰＦ＋ＰＧＷ−Ｕ１２０１０と、（ＶＰＬＭＮの）在圏ＰＣＦ（Ｖ−ＰＣＦ：visited  PCF）＋在圏ＰＣＲＦ（Ｖ−ＰＣＲＦ：visited  PCRF）１２１１と、（ＵＥのＨＰＬＭＮの）ＰＣＦ＋ＰＣＲＦ１２１２との間で生じる。
【０１０７】
ハンドオーバの前に、ＵＥ１２０１は、上りリンクおよび下りリンクユーザプレーンパケットデータユニット（ＰＤＵ：Packet  Data  Unit）を、Ｅ−ＵＴＲＡＮ１２０２、Ｓ−ＧＷ１２０６およびＵＰＦ＋ＰＧＷ−Ｕを介して交換することが想定される。
【０１０８】
１２１３において、Ｅ−ＵＴＲＡＮ１２０２は、ハンドオーバを開始し、１２１４において、ハンドオーバが要求されたという指示をＭＭＥ１２０６に送信する。
【０１０９】
１２１５において、ＭＭＥは、転送リロケーション要求（Forward  Relocation  Request）をＡＭＦ１２０５に送信する。
【０１１０】
１２１６において、ＡＭＦ１２０５は、ＰＤＵセッションおよびＳＭコンテキスト生成要求（Create  SM  Context  Request）を、Ｖ−ＳＭＦ１２０７を介して、ＨＰＬＭＮのＳＭＦ＋ＰＧＷ−Ｃ１２０９に送信する。
【０１１１】
１２１７において、ＳＭＦ＋ＰＧＷ−Ｃ１２０９は、ＳＭＦ開始のＳＭポリシー関連修正（SMF  initiated  SM  Policy  Association  Modification）を、ＰＣＦ＋ＰＣＲＦ１２１２と共に、Ｖ−ＰＣＦ＋Ｖ−ＰＣＲＦ１２１１を介して実行することができる。
【０１１２】
１２１８において、ＳＭＦ＋ＰＧＷ−Ｃ１２０９およびＵＰＦ＋ＰＧＷ−Ｕ１２１０は、Ｎ４セッション修正（N4  Session  Modification）を実行する。
【０１１３】
１２１９において、ＳＭＦ＋ＰＧＷ−Ｃ１２０９は、ＰＤＵセッションおよびＳＭコンテキスト生成応答（SM  Context  Response）をＡＭＦ１２０５に送信する。ＰＤＵセッションおよびＳＭコンテキスト生成応答は、ＰＤＵセッションに関連付けられたＳ−ＮＳＳＡＩと、このＳ−ＮＳＳＡＩがＶＰＬＭＮにおいて有効であるという指示（または、例えばＨＰＬＭＮのローミングパートナーのグループの相互合意に基づいてＳ−ＮＳＳＡＩ値を定義するＤｅｆａｕｌｔ  Ｃｏｎｆｉｇｕｒｅｄ  ＮＳＳＡＩと同じように任意の別のＰＬＭＮにおいて有効であるという指示）と、を含む。これは、Ｖ−ＳＭＦ１２０７を介して行われる。すなわち、ＳＭＦ＋ＰＧＷ−Ｃ１２０９は、Ｖ−ＳＭＦ１２０７に、このＳ−ＮＳＳＡＩがＶＰＬＭＮにおいて有効であること（またはこのＳ−ＮＳＳＡＩがＤｅｆａｕｌｔ  Ｃｏｎｆｉｇｕｒｅｄ  ＮＳＳＡＩであること）を示し、またＶ−ＳＭＦ１２０７は、ＡＭＦ１２０５への通知を行う。必要に応じて、ＡＭＦは、ＨＰＬＭＮのＰＧＷ−Ｃ＋ＳＭＦから受信した情報（例えば、指示を有するＳ−ＮＳＳＡＩ）に基づいて、Ｖ−ＳＭＦリロケーションを実行することができる。
【０１１４】
１２２０において、Ｖ−ＳＭＦ１２０７およびＶ−ＵＰＦ１２０８は、Ｎ４セッション確立（N4  Session  Establishment）を実行する。
【０１１５】
１２２１において、ＡＭＦ１２０５は、ハンドオーバ要求（Handover  Request）を５Ｇ  ＲＡＮ１２０３に送信し、５Ｇ  ＲＡＮは、１２２２において、このハンドオーバ要求を認識する。
【０１１６】
１２２３において、ＡＭＦ１２０５は、Ｖ−ＳＭＦ１２０７を介して、ＳＭＦ＋ＰＦＷ−Ｃ１２０９にＰＤＵセッション更新ＳＭコンテキスト要求（PDU  Session  Update  SM  Context  Request）を送信する。
【０１１７】
１２２４において、ＳＭＦ＋ＰＧＷ−Ｃ１２０９およびＵＰＦ＋ＰＧＷ−Ｕ１２１０は、Ｎ４セッション修正を実行する。
【０１１８】
１２２５において、ＳＭＦ＋ＰＦＷ−Ｃ１２０９は、Ｖ−ＳＭＦ１２０７を介して、ＡＭＦ１２０５にＰＤＵセッション更新ＳＭコンテキスト応答（PDU  Session  Update  SM  Context  Response）を送信する。
【０１１９】
１２２６において、ＡＭＦ１２０５は、転送リロケーション応答（Forward  Relocation  Response）をＭＭＥ１２０４に送信する。
【０１２０】
１２２７において、ＭＭＥ１２０４およびＳ−ＧＷ１２０６は、間接データ転送生成要求および応答（Create  Indirect  Data  Forwarding  Request/Response）を交換する。
【０１２１】
１２１９の指示は、モビリティ／ハンドオーバ中のＡＭＦリロケーション／再選択のために、ＮＳＳＦ間で交換することもできる。
【０１２２】
要約すると、様々な実施形態によれば、図１３に示すような通信端末１３００が提供される。
【０１２３】
図１３は、通信端末１３００を示す。
【０１２４】
通信端末１３００は、通信端末のホームコアネットワークから、ホームコアネットワークのネットワークスライスのスライス識別が別のコアネットワーク（例えば、通信端末が位置するカバレッジエリアを提供するコアネットワーク、すなわち別のコアネットワークは例えば端末のサービングコアネットワークである）にも有効であるという指示を受信するように構成された受信部１３０１を含む。
【０１２５】
通信端末１３００は、さらに、接続要求を別のコアネットワークに送信し、スライス識別に基づいてネットワークスライスを要求するように構成された送信部１３０２を含む。
【０１２６】
換言すれば、様々な実施形態によれば、通信端末は、自身のホームネットワーク（例えばＨＰＬＭＮ）から、スライス識別（例えばＳ−ＮＳＳＡＩ）が在圏ネットワークにも有効であるという指示を受信する。それを受けて、通信端末（例えば、４Ｇおよび５Ｇに準拠して動作するように構成されたＵＥ）は、在圏ネットワークに登録された際に、スライス識別を用いて、要求されたネットワークスライスを示す。
【０１２７】
図１３のアプローチによって、通信端末は、スライスのＳ−ＮＳＳＡＩが在圏ネットワークにおいても有効である場合に、所望のネットワークスライスにアクセスし続けることができる。またこれは、ハンドオーバ時間の短縮、すなわちハンドオーバ時の（ホームコアネットワークを含む）ホームネットワークと（在圏コアネットワークを含む）在圏ネットワークとの間のシグナリングメッセージの低減を可能にする。
【０１２８】
スライス識別が在圏ネットワークにも有効であるという指示は、例えば、Ｄｅｆａｕｌｔ  Ｃｏｎｆｉｇｕｒｅｄ  ＮＳＳＡＩ指示、例えばスライス識別（例えば、Ｓ−ＮＳＳＡＩ）がＤｅｆａｕｌｔ  Ｃｏｎｆｉｇｕｒｅｄ  ＮＳＳＡＩであるという指示であってよい。
【０１２９】
指示は、スライス識別が、別のコアネットワーク（例えば、在圏コアネットワーク、例えばＶＰＬＭＮのコアネットワークであってよい）を含む複数のコアネットワークにも有効であるという指示であってよい。
【０１３０】
第１のコアネットワークおよび第２のコアネットワークとも称される、ホームコアネットワークおよび別のコアネットワーク、またはホームコアネットワークおよび在圏コアネットワークは、例えば、第１の移動無線通信ネットワークおよび第２の移動無線通信ネットワークそれぞれの一部である。したがって、通信端末は、例えば移動無線端末である。移動無線通信ネットワークは、例えば、セルラ移動無線通信ネットワークである。第１のコアネットワークおよび第２のコアネットワークは、コアネットワークスライスを有するアーキテクチャに準拠して動作する。
【０１３１】
ホームコアネットワークは、通信端末のサブスクリプションに準拠する、通信端末のホームコアネットワークである。通信端末は、例えば、ホームコアネットワークを通信端末のためのホームコアネットワークにするサブスクリプションに対応する、例えば通信端末のユーザとホームコアネットワークのオペレータとの間の契約に基づいてホームコアネットワークのオペレータによって発行されたＳＩＭを含む。別のコアネットワークは、例えば、コアネットワークのオペレータのローミングパートナーのコアネットワークである。ホームコアネットワークおよび別のコアネットワークは、例えば、異なるカバレッジエリア（例えば、異なる国）を提供する。
【０１３２】
通信端末の送信部は、要求されたネットワークスライスとしてのスライス識別を含む接続要求メッセージを用いて、接続要求を送信するように構成することができる。
【０１３３】
通信端末１３００は、例えば、図１４に示したような方法を実施する。
【０１３４】
図１４は、通信接続を要求する方法を表すフロー図１４００を示す。
【０１３５】
１４０１において、ホームコアネットワークのネットワークスライスのスライス識別は別のコアネットワークにも有効であるという指示が、ホームコアネットワークから受信される。
【０１３６】
１４０２において、接続要求が別のコアネットワークに送信され、スライス識別に基づいて、ネットワークスライスが要求される。
【０１３７】
通信端末１３００は、例えば、図１５に示したようなネットワーク構成要素から指示を受信する。
【０１３８】
図１５は、通信ネットワークのネットワーク構成要素１５００を示す。
【０１３９】
ネットワーク構成要素１５００は、通信ネットワークがホームネットワークである通信端末に、通信ネットワークのコアネットワークのネットワークスライスのスライス識別が別のコアネットワークにも有効であるという指示を送信するように構成された送信部１５０１を含む。
【０１４０】
ネットワーク構成要素１５００は、例えば、図１６に示したような方法を実施する。
【０１４１】
図１６は、通信端末にサービスを提供する方法を表すフロー図１６００を示す。
【０１４２】
１６０１において、通信ネットワークのコアネットワークのネットワークスライスのスライス識別は別のコアネットワークにも有効であるという指示が、通信ネットワークがコアネットワークである通信端末に送信される。
【０１４３】
以下に様々な実施例を示す。
【０１４４】
実施例１は、図１３に示すような通信端末である。
【０１４５】
実施例２は、実施例１の通信端末であり、受信部は、第１の無線アクセスネットワークを介して、指示を受信するように構成されており、送信部は、第２の無線アクセスネットワークを介して、接続要求を送信し、ネットワークスライスを要求するように構成されている。
【０１４６】
実施例３は、実施例２の通信端末であり、第１の無線アクセスネットワークおよび第２の無線アクセスネットワークは、異なる無線アクセス技術に準拠して動作する。
【０１４７】
実施例４は、実施例２の通信端末であり、第１の無線アクセスネットワークは、４Ｇ無線アクセス技術に準拠して動作し、第２の無線アクセスネットワークは、５Ｇ無線アクセス技術に準拠して動作する。
【０１４８】
実施例５は、実施例１から４のいずれか１つの通信端末であり、接続要求は、Ｒｅｑｕｅｓｔｅｄ  ＮＳＳＡＩにスライス識別を含む。
【０１４９】
実施例６は、実施例４または５の通信端末であり、接続要求メッセージは、登録要求メッセージである。
【０１５０】
実施例７は、実施例１から６のいずれか１つの通信端末であり、スライス識別は、Ｓ−ＮＳＳＡＩである。
【０１５１】
実施例８は、実施例１から７のいずれか１つの通信端末であり、受信部は、アタッチ要求またはセッション確立要求に応じた指示を受信するように構成されている。
【０１５２】
実施例９は、実施例１から８のいずれか１つの通信端末であり、指示は、ホームコアネットワークのネットワークスライスのスライス識別が、別のコアネットワークを含む複数のコアネットワークにも有効であることを示す。
【０１５３】
実施例１０は、実施例９の通信端末であり、複数のコアネットワークのコアネットワークは、ホームコアネットワークのローミングパートナーコアネットワークである。
【０１５４】
実施例１１は、実施例１から１０のいずれか１つの通信端末であり、受信部は、第１の無線アクセスネットワークを介して、ネットワークスライスのアプリケーションマッピングポリシーを受信するように構成されており、送信部は、アプリケーションをネットワークスライスにマッピングし、第２の無線アクセスネットワークを介して、ネットワークスライスを要求するように構成されている。
【０１５５】
実施例１２は、図１４に示すような接続を要求する方法である。
【０１５６】
実施例１３は、実施例１２の方法であり、第１の無線アクセスネットワークを介して、指示を受信することと、第２の無線アクセスネットワークを介して、接続要求を送信し、ネットワークスライスを要求することと、を含む。
【０１５７】
実施例１４は、実施例１３の方法であり、第１の無線アクセスネットワークおよび第２の無線アクセスネットワークは、異なる無線アクセス技術に準拠して動作する。
【０１５８】
実施例１５は、実施例１３の方法であり、第１の無線アクセスネットワークは、４Ｇ無線アクセス技術に準拠して動作し、第２の無線アクセスネットワークは、５Ｇ無線アクセス技術に準拠して動作する。
【０１５９】
実施例１６は、実施例１２から１５のいずれか１つの方法であり、接続要求は、Ｒｅｑｕｅｓｔｅｄ  ＮＳＳＡＩにスライス識別を含む。
【０１６０】
実施例１７は、実施例１５または１６の方法であり、接続要求メッセージは、登録要求メッセージである。
【０１６１】
実施例１８は、実施例１２から１７のいずれか１つの方法であり、スライス識別は、Ｓ−ＮＳＳＡＩである。
【０１６２】
実施例１９は、実施例１２から１８のいずれか１つの方法であり、アタッチ要求またはセッション確立要求に応じた指示を受信することを含む。
【０１６３】
実施例２０は、実施例１２から１９のいずれか１つの方法であり、指示は、ホームコアネットワークのネットワークスライスのスライス識別が、別のコアネットワークを含む複数のコアネットワークにも有効であることを示す。
【０１６４】
実施例２１は、実施例２０の方法であり、複数のコアネットワークのコアネットワークは、ホームコアネットワークのローミングパートナーコアネットワークである。
【０１６５】
実施例２２は、実施例１２から２１のいずれか１つの方法であり、第１の無線アクセスネットワークを介して、ネットワークスライスのアプリケーションマッピングポリシーを受信することと、アプリケーションをネットワークスライスにマッピングし、第２の無線アクセスネットワークを介して、ネットワークスライスを要求することと、を含む。
【０１６６】
実施例２３は、図１５に示したような通信ネットワークのネットワーク構成要素である。
【０１６７】
実施例２４は、実施例２３のネットワーク構成要素であり、スライス識別は、Ｓ−ＮＳＳＡＩである。
【０１６８】
実施例２５は、実施例２３または２４のネットワーク構成要素であり、送信部は、アタッチ要求またはセッション確立要求に応じた指示を送信するように構成されている。
【０１６９】
実施例２６は、実施例２３から２５のいずれか１つのネットワーク構成要素であり、指示は、ホームコアネットワークのネットワークスライスのスライス識別が、別のコアネットワークを含む複数のコアネットワークにも有効であることを示す。
【０１７０】
実施例２７は、実施例２６のネットワーク構成要素であり、複数のコアネットワークのコアネットワークは、通信ネットワークのコアネットワークのローミングパートナーコアネットワークである。
【０１７１】
実施例２８は、図１６に示したような通信端末にサービスを提供する方法である。
【０１７２】
実施例２９は、実施例２８の方法であり、スライス識別は、Ｓ−ＮＳＳＡＩである。
【０１７３】
実施例３０は、実施例２８または実施例２９の方法であり、アタッチ要求またはセッション確立要求に応じた指示を送信することを含む。
【０１７４】
実施例３１は、実施例２８から３０のいずれか１つの方法であり、指示は、ホームコアネットワークのネットワークスライスのスライス識別が、別のコアネットワークを含む複数のコアネットワークにも有効であることを示す。
【０１７５】
実施例３２は、実施例３１の方法であり、複数のコアネットワークのコアネットワークは、通信ネットワークのコアネットワークのローミングパートナーコアネットワークである。
【０１７６】
別の実施例によれば、第１の移動無線通信ネットワークのネットワークスライスインスタンス識別は、第２の移動無線通信ネットワークにおいても有効であることを移動無線端末装置に通知する方法が提供される。この方法は、登録要求を第１の移動無線通信ネットワークにおいて移動無線端末装置から受信することと、（例えば、オペレータのポリシーおよび／または要求における情報に基づいて）ネットワークスライスを選択することと、選択されたネットワークスライスのネットワークスライス識別を判定し、そのネットワークスライス識別が第２の移動無線通信ネットワークにおいて有効であるかどうかを判定することと、選択されたネットワークスライスのネットワークスライス識別と、この識別が第２の移動無線通信ネットワークにおいて有効である場合には、この識別が第２の移動無線通信ネットワークにおいて有効であるという指示とを含めて、移動無線端末に対して、要求に応答することと、を含む。
【０１７７】
第１の移動無線通信ネットワークおよび第２の移動無線通信ネットワークのいずれも、（例えば、ＵＥのサブスクリプションに応じて）ＨＰＬＭＮおよびＶＰＬＭＮのいずれでも動作するための機能を有することができることに留意されたい。
【０１７８】
移動無線通信ネットワークは、それぞれ移動無線アクセスネットワークおよび移動コアネットワークを含む。
【０１７９】
第１の移動無線通信ネットワークは、例えば、ＭＭＥ、ゲートウェイ機能（例えば、ＰＧＷ／ＰＧＷ−Ｃ）などのネットワーク機能をさらに含むことができる。
【０１８０】
第２の移動無線通信ネットワークは、ＡＭＦ、ＳＭＦ、ＮＳＳＦなどのネットワーク機能をさらに含むことができる。
【０１８１】
上記の実施例のいずれかの特徴の１つまたは複数を、他の実施例のいずれか１つと組み合わせてもよいことに留意されたい。
【０１８２】
通信端末の構成要素およびネットワーク構成要素（例えば、受信部、送信部、および受信部ならびに送信部を相応に制御するように構成された対応する制御部などの他の構成要素）は、例えば、１つ以上の回路によって実装されてよい。「回路」は、特定の目的の回路、またはメモリ、ファームウェア、もしくはそれらの任意の組み合わせに格納されたソフトウェアを実行するプロセッサであってよい、あらゆる種類の論理実装エンティティとして理解されてよい。したがって、「回路」は、ハードワイヤード論理回路、またはプログラム可能なプロセッサ、例えばマイクロプロセッサなどのプログラム可能な論理回路であってよい。「回路」は、ソフトウェア、例えばあらゆる種類のコンピュータプログラムを実行するプロセッサであってもよい。上記の各機能の他の種類の実装も、「回路」として理解されてもよい。
【０１８３】
通信端末は、携帯電話などの携帯装置であってよく、送信部（例えば、ベースバンドプロセッサ、１つ以上のフィルタ、送信チェーン、受信チェーン、増幅器などを含む）、アンテナ、加入者識別モジュール、アプリケーションプロセッサ、メモリ、ディスプレイ、バッテリ、スピーカ、マイクなどの典型的な通信端末装置を含んでよい。
【０１８４】
特定の態様について説明したが、当業者であれば、添付の特許請求の範囲によって定義される本開示の態様の思想および範囲から逸脱することなく、形態および詳細における様々な変更を加えてもよいことを理解するであろう。したがって、範囲は添付の特許請求の範囲によって示され、また特許請求の範囲の等価物の意味および範囲内におけるすべての変更は、包含されることを意図している。
【図１】
2021503199.tif 000003
【図２】
2021503199.tif 000004
【図３】
2021503199.tif 000005
【図４】
2021503199.tif 000006
【図５】
2021503199.tif 000007
【図６】
2021503199.tif 000008
【図７】
2021503199.tif 000009
【図８】
2021503199.tif 000010
【図９】
2021503199.tif 000011
【図１０】
2021503199.tif 000012
【図１１】
2021503199.tif 000013
【図１２】
2021503199.tif 000014
【図１３】
2021503199.tif 000015
【図１４】
2021503199.tif 000016
【図１５】
2021503199.tif 000017
【図１６】
2021503199.tif 000018
【国際調査報告】
2021503199.tif 000019
2021503199.tif 000020
2021503199.tif 000021
2021503199.tif 000022